(57)【要約】【課題】疎水性溶剤を含有する液体洗浄剤組成物において、より少ない界面活性剤量で優れた安定性と洗浄力を示す液体洗浄剤組成物を提供する。【解決手段】（ａ）２−エチルヘキシル基、イソノニル基及びイソデシル基から選ばれる１種のアルキル基を有する特定の化合物、（ｂ）陰イオン界面活性剤及び両性界面活性剤から選ばれる界面活性剤、（ｃ）２０℃で液体の疎水性有機溶剤、並びに（ｄ）水を、それぞれ特定比率で含有する液体洗浄剤組成物。【選択図】なし【特許請求の範囲】
【請求項１】
（ａ）下記（ａ１）及び（ａ２）から選ばれる一種以上の化合物、（ｂ）陰イオン界面活性剤及び両性界面活性剤から選ばれる一種以上の界面活性剤、（ｃ）２０℃で液体の疎水性有機溶剤、並びに（ｄ）水を含有し、〔（ａ）＋（ｂ）〕／（ｃ）（質量比）が２．５以下、（ｂ）／（ａ）（質量比）が０．１以上、（ａ）／（ｃ）（質量比）が０．１以上、〔（ａ）＋（ｂ）〕／界面活性剤総量（質量比）が０．７〜１である液体洗浄剤組成物。
（ａ１）：２−エチルヘキシル基、イソノニル基及びイソデシル基から選ばれる１種のアルキル基を有し、炭素数２又は３のアルキレンオキシドの平均付加モル数が２〜６であるポリオキシアルキレンアルキルエーテル
（ａ２）：下記一般式（Ｉ）で示される化合物
【化１】
2007031692.tif 000013
〔式中、Ｒ1は２−エチルヘキシル、イソデシル、イソノニル基から選ばれる１種のアルキル基である。〕
【請求項２】
（ｂ）成分が下記（ｂ１）〜（ｂ４）から選ばれる一種以上の化合物である請求項１項記載の液体洗浄剤組成物。
（ｂ１）：下記一般式（１ｂ）で示されるアルキル硫酸エステル塩
Ｒ2ＯＳＯ3Ｍ2                    （１ｂ）
〔式中、Ｒ2は炭素数８〜２２の直鎖又は分岐鎖のアルキル又はアルケニル基を示し、Ｍ2は水素原子、アルカリ金属、アンモニア又はアルカノールアミンを示す。〕
（ｂ２）：下記一般式（２ｂ）で表されるポリオキシエチレンアルキルエーテル硫酸エステル塩
Ｒ3（ＯＣＨ2ＣＨ2）nＯＳＯ3Ｍ3          （２ｂ）
〔式中、Ｒ3は炭素数８〜２２のアルキル基又はアルキルアリル基、ｎは０〜１６の整数、Ｍ3は水素原子、アルカリ金属、アンモニア又はアルカノールアミンを示す。〕
（ｂ３）：下記一般式（３ｂ）で表される脂肪酸又はその塩
Ｒ4ＣＯＯＭ4                    （３ｂ）
〔式中、Ｒ4炭素数７〜１７の直鎖又は分岐鎖のアルキル又はアルケニル基を示し、Ｍ4は水素原子、アルカリ金属、アンモニア又はアルカノールアミンを示す。〕
（ｂ４）：下記一般式（４ｂ）で表されるエーテルカルボン酸塩
Ｒ5（ＯＣＨ2ＣＨ2）nＯＣＨ2ＣＯＯＭ5      （４ｂ）
〔式中、Ｒ5は炭素数８〜２２のアルキル基又はアルキルアリル基、ｎは０〜１６の整数、Ｍ5は水素原子、アルカリ金属、アンモニア又はアルカノールアミンを示す。〕
【請求項３】
（ｂ）成分が下記（ｂ５）〜（ｂ６）から選ばれる一種以上の化合物である請求項１記載の液体洗浄剤組成物。
（ｂ５）：下記一般式（５ｂ）で表されるカルボベタイン型界面活性剤
【化２】
2007031692.tif 000014
〔式中、Ｒ6aは炭素数９〜２３のアルキル基又はアルケニル基であり、Ｒ6bは炭素数１〜６のアルキレン基である。Ｄは−ＣＯＯ−、−ＣＯＮＨ−、−ＯＣＯ−、−ＮＨＣＯ−、−Ｏ−から選ばれる基であり、ｆは０又は１の数である。Ｒ6c、Ｒ6dは、炭素数１〜３のアルキル基又はヒドロキシアルキル基であり、Ｒ6eはヒドロキシ基で置換していてもよい炭素数１〜５のアルキレン基である。Ｍ6は水素原子、アルカリ金属、アンモニア又はアルカノールアミンを示す。〕
（ｂ６）：下記一般式（６ｂ）で表されるアミンオキサイド型界面活性剤
【化３】
2007031692.tif 000015
〔式中、Ｒ7aは炭素数８〜１６の直鎖アルキル基又はアルケニル基であり、Ｒ7c、Ｒ7dは炭素数１〜３のアルキル基又はヒドロキシアルキル基である。Ｒ7bは炭素数１〜５のアルキレン基である。Ｂは−ＣＯＯ−、−ＣＯＮＨ−、−ＯＣＯ−、−ＮＨＣＯ−、−Ｏ−から選ばれる基であり、ｅは０又は１の数である。〕
【請求項４】
（ｃ）成分がＪＩＳ  Ｋ  ２２５４による蒸留試験において５０％留出する温度が１５０〜３６０℃のパラフィン化合物である請求項１記載の液体洗浄剤組成物。
【請求項５】
（ｃ）成分の含有量が１５質量％以下である請求項１〜４の何れか１項記載の液体洗浄剤組成物。
【発明の詳細な説明】
【技術分野】
【０００１】
本発明は液体洗浄剤組成物に関する。特に硬質表面上の石鹸カス汚れ又は変性油汚れに対して優れた洗浄力を有し、且つ均質で、安定性に優れた硬質表面用液体洗浄剤組成物に関する。
【背景技術】
【０００２】
テルペン系炭化水素やパラフィンなどの疎水性溶剤は皮脂汚れ、石鹸カス汚れ、変性油脂やグリース、油などの洗浄効果が優れるため、液体洗浄剤に広く利用されている。例えば、特許文献１にはテルペン化合物と界面活性剤を含有する油性汚れ除去用水分散性洗浄剤が開示されている。特許文献２、特許文献３、特許文献４、特許文献５、特許文献６、特許文献７、特許文献８にはテルペン化合物を含有する洗浄剤が開示されており、発明の詳細な説明や特許請求の範囲にはグリコールエーテル系溶剤を併用することが記載されている。特許文献９、特許文献１０、特許文献１１、特許文献１２にはテルペン化合物とグリコール溶剤を含有する洗浄剤が開示されている。特許文献１３、特許文献１４、特許文献１５にはテルペン系炭化水素と非イオン界面活性剤を含有する洗浄剤が開示されている。特許文献１６には油と非イオン界面活性剤混合物を含有する洗浄剤が開示されている。また、特許文献１７には、２−エチルヘキシル基、イソノニル基及びイソデシル基の分岐鎖を有するポリオキシアルキレンアルキルエーテルなどの非イオン性化合物、非イオン界面活性剤及び疎水性有機溶剤とを含有する液体洗浄剤組成物が開示されている。特許文献１８には、炭素数が３〜１１であり且つ、２級〜４級炭素原子を有するアルキル基を有する非イオン性のポリオール化合物、疎水性有機溶剤及び水を含有する液体洗浄剤組成物が記載されている。特許文献１９には、両性界面活性剤、アニオン界面活性剤、モノ２−エチルヘキシルグリセリルエーテルまたはモノ２−エチルヘキサン酸グリセリドおよび水を含む洗浄剤組成物が開示されている。
【０００３】
【特許文献１】特開２００１−１９９９９号公報
【特許文献２】特開２００１−９８２９６号公報
【特許文献３】特開２０００−９６０８６号公報
【特許文献４】特開２０００−３０３０９５号公報
【特許文献５】特開平１０−１６９８号公報
【特許文献６】特開平６−３３６５９８号公報
【特許文献７】特開平５−２７９６９９号公報
【特許文献８】特表平９−５０９４３８号公報
【特許文献９】特開２００１−２４７４４９号公報
【特許文献１０】特開２００１−３４２５００号公報
【特許文献１１】特開平７−３１００９９号公報
【特許文献１２】特開平５−３２０６９４号公報
【特許文献１３】特開２００１−２４７８９９号公報
【特許文献１４】特開平９−５９６９５号公報
【特許文献１５】特開平９−３１０１００号公報
【特許文献１６】特表２００３−５２２２８５号公報
【特許文献１７】欧州特許出願公開第１４６６９６０号明細書
【特許文献１８】欧州特許出願公開第１３６５０１３号明細書
【特許文献１９】特開２００４−１８２７６０号公報
【発明の開示】
【発明が解決しようとする課題】
【０００４】
疎水性溶剤は、水との親和性が小さく、水性の組成物として用いる場合には一般に界面活性剤が併用される。硬質表面に付着した皮脂汚れや石鹸カスに対して優れた洗浄力を得るには、疎水性溶剤の本来の性質を妨げないように併用界面活性剤（複数の場合は組合せも含めて）を選定する必要がある。界面活性剤量の低減もまたコストの面から望まれる。本出願人は、以前、炭素数が３〜１１、特には４〜８のアルキル鎖と複数のヒドロキシ基とを有するコンパクトな化合物及び界面活性剤が、疎水性溶剤の性質を十分に発揮させることを見出した（特許文献１７及び１８）。しかしながら疎水性溶剤の配合量を増量すると、安定化剤であるヒドロキシ基を有する化合物や界面活性剤濃度もまた高まってしまう。特許文献１７は、疎水性溶剤と水との相分離などを避けるための安定性向上のために非イオン界面活性剤を使用している。疎水性溶剤を増量した場合、非イオン界面活性剤などの他の安定化剤もまた増量しないと、貯蔵安定性を確保し難く洗浄力の向上効果も低くなる。特許文献１８には、グリコールエーテル等の水溶性溶剤を併用することで貯蔵安定性を高められることが記載されているが、疎水性溶剤が多い場合は、ポリオール化合物を減らすには限度がある。特許文献１９は液体の疎水性有機溶剤を記載していない。
【０００５】
本発明の課題は、特定の疎水性溶剤を含有する液体洗浄剤組成物において、より少ない界面活性剤量で静置保存後も相分離しない均一な液相安定性（以下、単に安定性をいうことがある）と優れた洗浄力の両方を示す液体洗浄剤組成物を提供することにある。
【課題を解決するための手段】
【０００６】
本発明は、（ａ）下記（ａ１）及び（ａ２）から選ばれる一種以上の化合物〔以下、（ａ）成分という〕、（ｂ）陰イオン界面活性剤及び両性界面活性剤から選ばれる一種以上の界面活性剤〔以下、（ｂ）成分という〕、（ｃ）２０℃で液体の疎水性有機溶剤〔以下、（ｃ）成分という〕、並びに（ｄ）水〔以下、（ｄ）成分という〕を含有し、〔（ａ）＋（ｂ）〕／（ｃ）（質量比）が２．５以下、（ｂ）／（ａ）（質量比）が０．１以上、（ａ）／（ｃ）（質量比）が０．１以上、〔（ａ）＋（ｂ）〕／界面活性剤総量（質量比）が０．７〜１である液体洗浄剤組成物に関する。
（ａ１）：２−エチルヘキシル基、イソノニル基及びイソデシル基から選ばれる１種のアルキル基を有し、炭素数２又は３のアルキレンオキシドの平均付加モル数が２〜６であるポリオキシアルキレンアルキルエーテル〔以下、（ａ１）成分という〕
（ａ２）：下記一般式（Ｉ）で示される化合物〔以下、（ａ２）成分という〕
【０００７】
【化４】
2007031692.tif 000002
【０００８】
〔式中、Ｒ1は２−エチルヘキシル、イソデシル、イソノニル基から選ばれる１種のアルキル基である。〕
【発明の効果】
【０００９】
本発明によれば、より少ない界面活性剤量で、特に硬質表面上の石鹸カス汚れ又は変性油汚れに対して優れた洗浄力を有し、且つ均質で、安定性に優れた硬質表面用液体洗浄剤組成物が得られる。
【発明を実施するための最良の形態】
【００１０】
＜（ａ）成分＞
本発明の液体洗浄剤組成物の（ａ）成分は、本発明の（ｃ）成分である疎水性有機溶剤と水との界面に配向しやすい性質を有する化合物である。（ａ）成分が一般的な界面活性剤と異なるところは、特定の分岐鎖アルキル基による疎水性部分と、且つ限定されたヒドロキシ基数による親水性部分のため、（ａ）成分は（ｃ）成分に取り込まれにくい一方で、強固なミセルを形成しにくく、その結果、（ｃ）成分である疎水性溶剤の油汚れに対するポテンシャルが失われないものと考えられる。
【００１１】
（ａ１）成分について以下詳しく説明する。（ａ１）成分の炭素数２又は３のアルキレンオキシドは、エチレンオキシド〔以下、ＥＯと記す〕又はプロピレンオキシド〔以下、ＰＯと記す〕であるが、ＰＯは疎水性が強くなるため、ＰＯの平均付加モル数は０〜２が好ましく、ＥＯを必ず含む構造が好ましい。本発明では、ＥＯを主とするものが好ましく、特には全てのアルキレンオキシド基がＥＯであることがさらに好ましい。アルキレンオキシドの平均付加モル数は１〜６モル、好ましくは２〜４モルである。
【００１２】
２−エチルヘキシル基を有する（ａ１）成分としては、ｎ−ブチルアルデヒドをアルドール縮合させた後、水素化して得られる２−エチル−１−ヘキサノールにアルキレンオキシドを付加することで得ることができる。
【００１３】
イソノニル基を有する（ａ１）成分としては、ジイソブチレンをオキソ法でヒドロホルミル化した後、水素化して得られるイソノニルアルコールにアルキレンオキシドを付加することで得ることができる。また、該イソノニルアルコールは、３，５，５−トリメチル−１−ヘキサノールが主成分である。
【００１４】
イソデシル基を有する（ａ１）成分としては、ノネンをオキソ法でヒドロホルミル化した後、水素化して得られるイソデカノールにアルキレンオキシドを付加することで得ることができる。また、該イソデカノールは、各位置にメチル分岐を有する多くの異性体の混合物であり、代表的な構造としては８−メチル−１−ノナノールである。
【００１５】
本発明の（ａ１）成分としては、ポリエチレングリコール−２−エチルヘキシルエーテル（ＥＯ平均付加モル数＝２〜６）が好ましい。
【００１６】
次に（ａ２）成分について詳細に記載する。（ａ２）成分の化合物は、Ｒ1ＯＨで表されるアルコール化合物とエピハロヒドリンやグリシドール等のエポキシ化合物をＢＦ3等のルイス酸触媒を用いて反応させて製造することができる。この反応には、WO-A９８／５０３８９号公報に記載のアルミニウム触媒を使用することもできる。本発明では特にＲ1ＯＨとして２−エチル−１−ヘキサノールが好ましい。
【００１７】
（ａ２）成分の製造には、上記Ｒ1ＯＨに上記触媒を用いてエピハロヒドリンやグリシドール等のエポキシ化合物を付加させる。一般にエポキシ化合物はＲ1ＯＨに対して１〜５モル倍過剰に用いて反応するが、一般式（Ｉ）の化合物以外に一般式（Ｉ）の化合物にさらにエポキシ化合物が付加した多量体も生成する。本発明では多量体の共存を否定するものではないが、多量体／（ａ２）成分（質量比）を０．３以下、更には０．１以下、特には０．０５以下になるように調整することが好適である。このような多量体の含有量の調整は、WO-A９８／５０３８９に記載の触媒を用いる方法や、蒸留などの精製操作を行うなどの方法で達成できる。また、多量体の質量比はガスクロマトグラフィーを用いて求めることが可能である。
【００１８】
以上説明した本発明の（ａ）成分は、水溶液中での（ｃ）成分の疎水性溶剤の性質を変えることなく、且つ均一に分散させることを可能とする。
【００１９】
＜（ｂ）成分＞
（ｂ）成分のうち陰イオン界面活性剤としては、下記（ｂ１）〜（ｂ４）から選ばれる一種以上の化合物が挙げられる。
（ｂ１）：下記一般式（１ｂ）で示されるアルキル硫酸エステル塩
Ｒ2ＯＳＯ3Ｍ2                    （１ｂ）
〔式中、Ｒ2は炭素数８〜２２の直鎖又は分岐鎖のアルキル又はアルケニル基を示し、Ｍ2は水素原子、アルカリ金属、アンモニア又はアルカノールアミンを示す。〕
【００２０】
上記アルキル硫酸エステル塩としては炭素数８〜２２、好ましくは１０〜１４の直鎖もしくは分岐鎖１級アルコール又は直鎖２級アルコールをＳＯ3又はクロルスルホン酸でスルホン化し、中和して得ることができる。
【００２１】
（ｂ２）：下記一般式（２ｂ）で表されるポリオキシエチレンアルキルエーテル硫酸エステル塩
Ｒ3（ＯＣＨ2ＣＨ2）nＯＳＯ3Ｍ3          （２ｂ）
〔式中、Ｒ3は炭素数８〜２２のアルキル基又はアルキルアリル基、ｎは０〜１６の整数、Ｍ3は水素原子、アルカリ金属、アンモニア又はアルカノールアミンを示す。〕
【００２２】
上記ポリオキシアルキレンアルキルエーテル硫酸エステル塩としては、平均炭素数８〜２２の直鎖もしくは分岐鎖１級アルコール又は直鎖２級アルコールに、ＥＯを１分子当たり平均０．５〜５モル付加させ、これを例えば特開平９−１３７１８８号記載の方法を用いて硫酸化して得ることができる。アルキル基の平均炭素数は１０〜１６が好ましい。ｎは１〜５が好ましい。
【００２３】
（ｂ３）：下記一般式（３ｂ）で表される脂肪酸又はその塩
Ｒ4ＣＯＯＭ4                    （３ｂ）
〔式中、Ｒ4炭素数７〜１７の直鎖又は分岐鎖のアルキル又はアルケニル基を示し、Ｍ4は水素原子、アルカリ金属、アンモニア又はアルカノールアミンを示す。〕
【００２４】
上記脂肪酸又はその塩としては、Ｒ4の炭素数は９〜１５のものが好ましいが、安定性の点から９〜１３が更に好ましい。脂肪酸、脂肪酸ナトリウム塩、脂肪酸カリウム塩等を用いることができる。
【００２５】
（ｂ４）：下記一般式（４ｂ）で表されるエーテルカルボン酸塩
Ｒ5（ＯＣＨ2ＣＨ2）nＯＣＨ2ＣＯＯＭ5      （４ｂ）
〔式中、Ｒ5は炭素数８〜２２のアルキル基又はアルキルアリル基、ｎは０〜１６の整数、Ｍ5は水素原子、アルカリ金属、アンモニア又はアルカノールアミンを示す。〕
【００２６】
上記エーテルカルボン酸塩は、例えばポリオキシエチレンアルキルエーテルのアルコラートとモノクロル酢酸ナトリウムとを反応させて得ることができる。Ｒ5の炭素数は１０〜１４が好ましく、ｎは２〜１５が好ましく、更に安定性の点から３〜１２が好ましい。
【００２７】
また（ｂ）成分の陰イオン界面活性剤としては、上記の（ｂ１）〜（ｂ４）に加え、α−オレフィンスルホン酸塩、α−スルホ脂肪酸塩、α−スルホ脂肪酸低級アルキルエステル塩、ジアルキルスルホコハク酸エステル塩、アルキル又はアルケニルコハク酸塩等も挙げることができる。α−オレフィンスルホン酸塩としては、炭素数８〜１８のα−アルケンをＳＯ3でスルホン化し、水和／中和を経て生成することができ、炭化水素基中にヒドロキシ基が存在する化合物と不飽和結合が存在する化合物の混合物である。また、α−スルホ脂肪酸低級アルキルエステル塩としてはアルキル基の炭素数は１０〜１６が好ましく、メチルエステル又はエチルエステルが洗浄効果の点から好ましい。塩としてはナトリウム塩、カリウム塩、マグネシウム塩、カルシウム塩、アルカノールアミン塩、アンモニウム塩が好適である。ジアルキルスルホコハク酸エステル塩としては、アルキル基が共に２−エチルヘキシルのものが好ましく、ナトリウム塩が好ましい。アルキル又はアルケニルコハク酸塩としては、炭素数が１０〜１４のアルケニルコハク酸カリウム又はアルケニルコハク酸ナトリウムが好ましい。
【００２８】
また（ｂ）成分のうち、両性界面活性剤としては、下記（ｂ５）〜（ｂ６）から選ばれる一種以上の化合物が挙げられる。
（ｂ５）：下記一般式（５ｂ）で表されるカルボベタイン型界面活性剤
【００２９】
【化５】
2007031692.tif 000003
【００３０】
〔式中、Ｒ6aは炭素数９〜２３のアルキル基又はアルケニル基であり、Ｒ6bは炭素数１〜６のアルキレン基である。Ｄは−ＣＯＯ−、−ＣＯＮＨ−、−ＯＣＯ−、−ＮＨＣＯ−、−Ｏ−から選ばれる基であり、ｆは０又は１の数である。Ｒ6c、Ｒ6dは、炭素数１〜３のアルキル基又はヒドロキシアルキル基であり、Ｒ6eはヒドロキシ基で置換していてもよい炭素数１〜５のアルキレン基である。Ｍ6は水素原子、アルカリ金属、アンモニア又はアルカノールアミンを示す。〕
【００３１】
上記カルボベタイン型界面活性剤としては、Ｒ6aの炭素数が１０〜１８のアルキルジメチルカルボキシメチルベタイン（式（５ｂ）中のｆは０、Ｒ6c、Ｒ6dは共にメチル基、Ｒ6eがメチレン基）、Ｒ6aの炭素数１０〜１８のアルキルアミドプロピルカルボベタイン（式（５ｂ）中のＤが−ＣＯＮＨ−、Ｒ6bは炭素数３のアルキレン基、ｆは１、Ｒ6c、Ｒ6dは共にメチル基、Ｒ6eがメチレン基）を挙げることができる。アルキルジメチルカルボキシメチルベタインは、例えば炭素数１０〜１８のアルキルジメチルアミンとモノクロル酢酸ナトリウムとを反応させて得ることができる。アルキルアミドプロピルカルボベタインは例えば炭素数１０〜１８の脂肪酸とジメチルアミノプロピルアミンとアミド化反応物にモノクロル酢酸ナトリウムを反応させて得ることができる。
【００３２】
（ｂ６）：下記一般式（６ｂ）で表されるアミンオキサイド型界面活性剤
【００３３】
【化６】
2007031692.tif 000004
【００３４】
〔式中、Ｒ7aは炭素数８〜１６の直鎖アルキル基又はアルケニル基であり、Ｒ7c、Ｒ7dは炭素数１〜３のアルキル基又はヒドロキシアルキル基である。Ｒ7bは炭素数１〜５のアルキレン基である。Ｂは−ＣＯＯ−、−ＣＯＮＨ−、−ＯＣＯ−、−ＮＨＣＯ−、−Ｏ−から選ばれる基であり、ｅは０又は１の数である。〕
【００３５】
上記アミンオキサイド型界面活性剤としては、Ｒ7aの炭素数が１０〜１８のアルキルジメチルアミンオキサイド（式（６ｂ）中のｅは０、Ｒ7c、Ｒ7dは共にメチル基）、Ｒ7aの炭素数が１０〜１８のアルキルアミドプロピルアミンオキサイド（式（６ｂ）中のＢが−ＣＯＮＨ−、Ｒ7bは炭素数３のアルキレン基、ｅは１、Ｒ7c、Ｒ7dは共にメチル基）を挙げることができる。アルキルジメチルアミンオキサイドは、例えば炭素数１０〜１８のアルキルジメチルアミンと過酸化水素等の酸化剤を反応させて得ることができる。アルキルアミドプロピルアミンオキサイドは、例えば炭素数１０〜１８の脂肪酸とジメチルアミノプロピルアミンとアミド化反応物を過酸化水素などの酸化剤で酸化して得ることができる。
【００３６】
（ｂ）成分としては、安定化に必要な界面活性剤量を低減できるという点から、炭素数１０〜１４の直鎖又は分岐をもつアルキル基を有するアルキル硫酸エステル塩、炭素数１０〜１４の直鎖又は分岐をもつアルキル基を有し、ＥＯ平均付加モル数が１〜３のポリオキシエチレンアルキル硫酸エステル塩、炭素数１０〜１４のアルキル基を有する脂肪酸ナトリウム、炭素数１０〜１４のアルキル基でＥＯ平均付加モル数が４〜１０のポリオキシエチレンアルキルエーテル酢酸塩、炭素数１０〜１４のアルキルアミドプロピルカルボベタイン、及び炭素数が１０〜１４のアルキルジメチルアミンオキサイドが好ましい。これらのうちでも、炭素数１０〜１２の直鎖又は分岐をもつアルキル基を有するアルキル硫酸エステルナトリウム、炭素数１０〜１２の直鎖又は分岐をもつアルキル基を有し、ＥＯ平均付加モル数が１〜３のポリオキシエチレンアルキル硫酸エステルナトリウム、炭素数１０〜１４のアルキル基を有する脂肪酸ナトリウム、及び炭素数１０〜１４のアルキル基でＥＯ平均付加モル数が４〜１０のポリオキシエチレンアルキルエーテル酢酸ナトリウムが、更に好ましい。
【００３７】
＜（ｃ）成分＞
本発明に用いる２０℃で液体の疎水性有機溶剤は、一般的によく知られている下記式より求められる溶解度パラメーター（以下ｓｐ値）が１０．０〜２１．０、好ましくは１４．０〜２１．０、より好ましくは１４．０〜１９．０の有機溶剤であり、２０℃の水に対する溶解度が０．５質量％以下のものである。ｓｐ値と水に対する溶解度がこの範囲にある疎水性有機溶剤を用いると優れた洗浄力を得ることができる。なお、ｓｐ値を求めるに当たっては、Hoy, K. L., The Hoy Tables of Solubility Parameters, Union Carbide Corporation, Solvents and Coatings Materials Division, South Charlston, WV (1985)
記載の数値を用いるものとする。
【００３８】
δ＝(ΔＨ／Ｖ)1/2
δ；溶解度パラメーター（ｓｐ値）〔（Ｊ／ｃｍ3）1/2〕
ΔＨ；モル蒸発熱
Ｖ；モル体積
【００３９】
また上記の水に対する溶解度の測定方法としては、内径５０ｍｍ高さ７０ｍｍの１００ｍＬビーカーに入れた５０ｍＬ程度の水に疎水性溶剤を加えて、直径８ｍｍ長さ４０ｍｍ程度の円筒状の回転攪拌子を用い６００ｒｐｍ程度で１０分間攪拌後３時間静置したものを目視観察したときに、濁りや分離がないものを「溶解した」とする。
【００４０】
疎水性有機溶剤は、ｓｐ値が上記の範囲であれば、エーテル基、アミド基、エステル基等を有してもよい。（ｃ）成分としては、例えば、全炭素数が６〜３０の炭化水素、一価の脂肪族アルコール及びそのエステル、その他脂肪酸エステル、並びに脂肪族ケトン等を挙げることができる。本発明では、特に炭素数が８〜２０、より好ましくは８〜１５の炭化水素が好ましい。
【００４１】
炭化水素の具体例としてはオレフィン炭化水素、パラフィン炭化水素、芳香族炭化水素、及びテルペン系炭化水素を挙げることができる。
【００４２】
オレフィン炭化水素としては、ヘキセン、オクテン、デセン、ドデセン、テトラデセン、などの直鎖オレフィン化合物、ジイソブチレン、トリイソブチレンなどの分岐鎖オレフィン化合物、及びシクロヘキセン、ジシクロペンテンなどの環状オレフィン化合物を用いることができる。
【００４３】
パラフィン炭化水素としては、ヘキサン、ヘプタン、オクタン、ノナン、デカン、ウンデカン、ドデカン、トリデカン、テトラデカン、ペンタデカン、ヘキサデカン、ヘプタデカン、オクタデカンなどの直鎖パラフィン化合物や、イソヘキサン、イソヘプタン、イソオクタン、イソヘキサン、イソドデカン、イソトリデカン、イソテトラデカン、イソペンタデカン、イソヘキサデカン、イソヘプタデカン、イソオクタデカンなどの分岐鎖パラフィン化合物、及びシクロヘキサンなどの環状パラフィン化合物を用いることができる。
【００４４】
芳香族炭化水素としてはトルエン、キシレン、クメンを挙げることができる。
【００４５】
テルペン系化合物としてはイソプレンの２量体であるモノテルペン化合物、３量体であるセスキテルペン化合物、及び４量体であるジテルペン化合物を用いることができる。具体的なテルペン化合物としてはα-ピネン、β-ピネン、カンフェン、リモネン、ジペンテン、テルピノーレン、ミルセン、β-カリオフィレン、セドレンが好適であり、特にリモネン、ジペンテン、テルピノーレンが好ましい。
【００４６】
本発明では特に直鎖パラフィン化合物、分岐鎖パラフィン化合物、モノテルペン化合物及びセスキテルペン化合物から選ばれる１種以上が好ましく、特にデカン、ウンデカン、ドデカン、トリデカン、テトラデカン、ペンタデカン、ヘキサデカン、イソドデカン、イソトリデカン、イソテトラデカン、イソペンタデカン、イソヘキサデカン、イソヘプタデカン、イソオクタデカン、リモネン、ジペンテン、テルピノーレンから選ばれる１種以上が洗浄効果の点から好適である。
【００４７】
本発明の（ｃ）成分はＪＩＳ  Ｋ  ２２５４による蒸留試験において５０％留出する温度が１５０〜３６０℃、好ましくは１７０〜３３０℃のパラフィン化合物が好ましく、この留出温度がこの範囲にある化合物は匂いの問題がないだけでなく、安定性の点でも良好であり、且つ洗浄効果にも優れている。また、炭素数１０〜２０のノルマルパラフィン、炭素数１０〜２０のイソパラフィンが好ましく、特にイソパラフィンが匂いの点からより好ましい。具体的には、新日本石油化学（株）製のノルマルパラフィンＳＬ（商標）、ノルマルパラフィンＬ（商標）、ノルマルパラフィンＭ（商標）、ノルマルパラフィンＭＡ（商標）、ノルマルパラフィンＨ（商標）、日鉱石油化学（株）製のＮ−１０（商標）、Ｎ−１１（商標）、Ｎ−１２（商標）、Ｎ−１３（商標）、Ｎ−１４（商標）、などのノルマルパラフィン、新日本石油化学（株）製のアイソゾール３００（商標）、アイソゾール４００（商標）、出光石油化学（株）製のＩＰソルベント１６２０（商標）、ＩＰソルベント２０２８（商標）、ＩＰソルベント２８３５（商標）、シェルジャパン社製のシェルゾール７０（商標）、シェルゾール７１（商標）、シェルゾール７２（商標）などのイソパラフィンを挙げることができる。
【００４８】
（ｃ）成分は、油の性質に近いものであり、当然、水よりも油汚れに対して優れた洗浄力を有する。具体的に（ｃ）成分のみで油汚れの洗浄を行なう場合、変性油汚れを溶解することができ、対象表面からの汚れの除去を容易にすることができる。しかしながら（ｃ）成分のみでの洗浄剤は、（ｃ）成分自体が洗浄表面に残留するという問題があり、更には引火などの安全性、また経済性においても不利である。そこで、前記のように、界面活性剤を用いて（ｃ）成分を分散させた系が考えられるが、単に界面活性剤で分散させただけでは、（ｃ）成分の性質が変わってしまい本来の洗浄力を発揮することができない。本発明は（ｃ）成分の疎水性溶剤の性質を阻害せずに、しかも従来よりも更に少量の界面活性剤（ａ）及び（ｂ）で、このような疎水性溶剤を含む水系の洗浄剤組成物を完成させた。かつ驚くべきことに（ａ）と（ｂ）という特定の界面活性剤の組合せを用いたことで、同じ（ｃ）成分量であっても、安定化が可能な範囲で界面活性剤量（（ａ）＋（ｂ）の総量）を少なくすることができ、高い洗浄力を発揮できる組成を確立したところに意義がある。
【００４９】
＜（ｄ）成分＞
本発明の（ｄ）成分は水であり、水に存在する微量の金属成分を除去したイオン交換水や蒸留水、もしくは次亜塩素酸塩や塩素で滅菌した滅菌水などを用いることができる。
【００５０】
＜その他の成分＞
本発明では、主に除菌力を向上させる目的から本発明の効果を妨げない程度に（ａ）成分及び（ｂ）成分以外の界面活性剤（以下（ｅ）成分という）を含有してもよい。界面活性剤は一般に洗浄剤に使用されることが知られているものから選ぶことができる。好ましい（ｅ）成分としては陽イオン界面活性剤を挙げることができる。
【００５１】
陽イオン界面活性剤としては、下記一般式（ｅ１）〜（ｅ３）の化合物を用いることが洗浄効果及び、除菌効果の点から好ましい。
【００５２】
【化７】
2007031692.tif 000005
【００５３】
〔式中、Ｒ10a及びＲ11aは炭素数５〜１６、好ましくは６〜１４のアルキル基又はアルケニル基、好ましくはアルキル基であり、Ｒ10c、Ｒ10dは炭素数１〜３のアルキル基又はヒドロキシアルキル基である。Ｔは−ＣＯＯ−、ＯＣＯ−、−ＣＯＮＨ−、−ＮＨＣＯ−、又は
【００５４】
【化８】
2007031692.tif 000006
【００５５】
である。ｇは０又は１の数である。Ｒ10bは、炭素数１〜６のアルキレン基、又は−(Ｏ−Ｒ10f)e−である。ここでＲ10fはエチレン基もしくはプロピレン基、好ましくはエチレン基であり、ｅは１〜１０、好ましくは１〜５の数である。Ｒ10eは炭素数１〜５、好ましくは２又は３のアルキレン基である。また、Ｒ12a、Ｒ12b、Ｒ12c、Ｒ12dはこれらの内２つ以上（好ましくは２つ）は炭素数８〜１２のアルキル基であり、残りが炭素数１〜３のアルキル基又はヒドロキシアルキル基である。さらにＺ-は陰イオン基、好ましくはハロゲンイオン、炭素数１〜３のアルキル硫酸イオンである。〕
【００５６】
本発明の好ましい陽イオン界面活性剤としては下記のものを挙げることができる。
【００５７】
【化９】
2007031692.tif 000007
【００５８】
本発明では、洗浄効果を向上させる目的、及び低温あるいは高温における（ｃ）成分である疎水性溶剤の分離や白濁を抑制するなどの効果により、グリコール系溶剤（以下（ｆ）成分という）を併用することが好ましい。具体的には下記一般式（ｆ１）の化合物が好適である。
【００５９】
Ｒ9a−(ＯＲ9b)f−ＯＨ      （ｆ１）
〔式中、Ｒ9aは炭素数１〜７、好ましくは２〜５の炭化水素基であり、ｆは１〜５、好ましくは１〜４の数であり、Ｒ9bは炭素数２又は３のアルキレン基である。〕
【００６０】
具体的に好ましい化合物としては以下のものを挙げることができる。
エチレングリコールモノメチルエーテル、エチレングリコールモノエチルエーテル、エチレングリコールモノプロピルエーテル、エチレングリコールモノブチルエーテル、エチレングリコールモノフェニルエーテル、エチレングリコールモノベンジルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、ジエチレングリコールモノフェニルエーテル、ジエチレングリコールモノベンジルエーテル、プロピレングリコールモノメチルエーテル、プロピレングリコールモノエチルエーテル、プロピレングリコールモノプロピルエーテル、プロピレングリコールモノブチルエーテル、プロピレングリコールモノヘキシルエーテル、ジプロピレングリコールモノメチルエーテル、ジプロピレングリコールモノエチルエーテル、ジプロピレングリコールモノプロピルエーテル、ジプロピレングリコールモノブチルエーテル、ポリオキシプロピレン（平均付加モル数３〜５）モノメチルエーテル、ポリオキシプロピレン（平均付加モル数３〜５）モノエチルエーテル、ポリオキシエチレン（平均付加モル数１〜５）モノフェニルエーテル、ポリオキシエチレン（平均付加モル数１〜５）モノベンジルエーテルが挙げられる。
【００６１】
本発明では（ｆ）成分としてエチレングリコールモノブチルエーテル、ジエチレングリコールモノブチルエーテル、ジエチレングリコールモノヘキシルエーテル、プロピレングリコールモノブチルエーテル、及びジプロピレングリコールモノブチルエーテルが好ましく、特にジエチレングリコールモノブチルエーテルが好ましい。
【００６２】
本発明では洗浄力をさらに向上させる目的から金属封鎖剤（以下（ｇ）成分という）を含有することが好ましい。本発明に用いられる金属イオン封鎖剤としては、
（１）フィチン酸などのリン酸系化合物またはこれらのアルカリ金属塩もしくはアルカノールアミン塩
（２）エタン−1,1−ジホスホン酸、エタン−1,1,2−トリホスホン酸、エタン−1−ヒドロキシ−1,1−ジホスホン酸及びその誘導体、エタンヒドロキシ−1,1,2−トリホスホン酸、エタン−1,2−ジカルボキシ−1,2−ジホスホン酸、メタンヒドロキシホスホン酸などのホスホン酸またはこれらのアルカリ金属塩もしくはアルカノールアミン塩
（３）2-ホスホノブタン−1,2−ジカルボン酸、1-ホスホノブタン−2,3,4−トリカルボン酸、α−メチルホスホノコハク酸などのホスホノカルボン酸またはこれのアルカリ金属塩もしくはアルカノールアミン塩
（４）アスパラギン酸、グルタミン酸、グリシンなどのアミノ酸またはこれらのアルカリ金属塩もしくはアルカノールアミン塩
（５）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸、アルキルグリシン−Ｎ，Ｎ−ジ酢酸、アスパラギン酸−Ｎ，Ｎ−ジ酢酸、セリン−Ｎ，Ｎ−ジ酢酸、グルタミン酸二酢酸、エチレンジアミンコハク酸などのアミノポリ酢酸またはこれらの塩、好ましくはアルカリ金属塩、もしくはアルカノールアミン塩
（６）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキメチル酒石酸などの有機酸またはこれらのアルカリ金属塩、もしくはアルカノールアミン塩
（７）ゼオライトＡに代表されるアルミノケイ酸のアルカリ金属塩またはアルカノールアミン塩
（８）アミノポリ（メチレンホスホン酸）もしくはそのアルカリ金属塩もしくはアルカノールアミン塩、またはポリエチレンポリアミンポリ（メチレンホスホン酸）もしくはアルカリ金属塩もしくはアルカノールアミン塩
を挙げることができる。
【００６３】
これらの中で、上記（２）、（５）、（６）及び（７）からなる群より選ばれる少なくとも１種が好ましく、上記（５）、及び（６）からなる群より選ばれる少なくとも１種がさらに好ましい。具体的には、エチレンジアミン四酢酸ナトリウム、クエン酸３ナトリウムが特に好ましい。
【００６４】
本発明ではアルカリ剤（以下（ｈ）成分という）を含有することが洗浄力の点から好ましい。アルカリ剤としては、炭酸ナトリウム、炭酸カリウム、水酸化ナトリウム、水酸化カリウム、アンモニア、モノエタノールアミン、ジエタノールアミン、Ｎ−メチルプロパノール、２−アミノ−２−メチル−１−プロパノール、Ｎ−（β−アミノエチル）エタノールアミン、ジエチレントリアミン、モルホリン、Ｎ−エチルモルホリン等が挙げられる。本発明で用いるアルカリ剤は特にモノエタノールアミン、２−アミノ−２−メチル−１−プロパノール及びモルホリンが好ましい。
【００６５】
本発明の液体洗浄剤組成物は、２０℃におけるｐＨが２〜１２、更に３〜１１であることが、洗浄効果の点から好ましい。ｐＨ調整剤としては塩酸や硫酸など無機酸や、クエン酸、コハク酸、リンゴ酸、フマル酸、酒石酸、マロン酸、マレイン酸などの有機酸などの酸剤や、上記アルカリ剤を、単独もしくは複合して用いることが好ましく、特に塩酸、硫酸、クエン酸から選ばれる酸と水酸化ナトリウムや水酸化カリウムあるいは上記のアミン化合物から選ばれるアルカリ剤を用いることが好ましい。また、使い勝手の点から本発明の組成物は２０℃における粘度は１〜１００ｍＰａ・ｓ、好ましくは１〜５０ｍＰａ・ｓが良好である。ここで本発明でいう粘度は２０℃の恒温槽で試料を３０分間熟成させた後、ＴＯＫＩＭＥＣ．ＩＮＣ製Ｂ型粘度計モデルＢＭを用いて測定したものである。
【００６６】
また、本発明の組成物には、ゲル化防止のためのポリアルキレングリコールを配合してもよい。ゲル化防止としてのポリアルキレングリコールの具体例としては、ポリエチングリコールを標準としたときのゲル・パーミエーション・クロマトグラフィーによって求められた重量平均分子量が５００〜２００００のポリプロピレングリコール、及びポリエチレングリコールが好ましい。
【００６７】
本発明の液体洗浄剤組成物は、上記成分の他、更に必要に応じて、通常の分散剤、キレート剤、ハイドロトロープ剤、香料、染料、顔料、防腐剤等を本発明の効果を損なわない範囲で添加することができる。
【００６８】
＜液体洗浄剤組成物＞
一般に非イオン型界面活性剤等を用いて乳化または分散させる方法はよく知られているが、ＨＬＢ等を考慮して適当な非イオン型界面活性剤を用いても、疎水性溶剤である（ｃ）成分の約３倍量（重量比）以上必要なのが通常で、更にその洗浄力は（ｃ）成分の配合量から期待されるレベルではなく、極めて低減されたものになる。本発明によれば、疎水性溶剤（ｃ）成分の同じ量を均一化するのに必要な特定の非イオン性化合物である（ａ）と陰イオン界面活性剤及び／又は両性界面活性剤である（ｂ）の総量は、（ｃ）の２．５倍（重量比）以下、特には１．７５倍以下まで低減でき、かつ（ｃ）本来の洗浄力が遺憾なく発揮される。（ｃ）を均一透明化できる範囲においては、（ａ）と（ｂ）との総量が少ないほど、高い洗浄力が得られる。本発明は、（ｃ）成分を、その性質を損なわないように水溶液中に配合するために、前記２−エチルヘキシル基、イソノニル基及びイソデシル基から選ばれる１種のアルキル基を有する特定の化合物［（ａ）成分］を用い、且つ界面活性剤の中でも特定のもの〔（ｂ）成分〕を併用することで、これら問題を解決するに至ったのである。この作用機作は明確ではないが、（ａ）成分は、通常の界面活性剤と異なり、その疎水性と親水性のバランスと分岐の構造から、（ａ）成分単独で疎水性溶剤を内部に閉じ込めた構造の曲率の小さく強固なミセルを形成しにくく、そのかわり（ｂ）成分と組合わさって曲率の大きく柔軟性のある界面膜を作り、比較的大きな構造体を形成しやすいと考えられる。構造体の大きさについては推測の域を出ないが、場合によってはバイコンティニュアス構造のように疎水性溶剤も連続層を形成していることも考えられる。
【００６９】
特開平６−３０６４００号公報には、（１）トリエチレングリコールモノヘキシルエーテル等の両親媒性溶剤、（２）炭化水素などの非極性溶剤ないし弱極性溶剤、及び（３）水等の極性溶剤から構成される近三臨界点組成物を洗浄剤として用いることが開示されているが、該公報技術の実施例に用いられている非極性ないし低極性溶剤の配合量は２７〜４７．６重量％と多い。また、特開２００２−２０７９１号公報には、バイコンティニュアス相を形成する液体洗浄剤が開示されている。しかしながら、使用している疎水性成分の極性が高く、十分な洗浄力を得ることができない。またＷＯ０１／０５９０５９は、記載の界面活性剤を用いる場合、強固なマイクロエマルションを作り油を安定化させるため、油及び界面活性剤の優れた洗浄性を十分に発揮させるものではない。
【００７０】
本発明によれば、（ａ）と（ｂ）との組合せを用いることで、（ｃ）成分の配合量は比較的少ない量（例えば２０重量％以下）でありながら、高洗浄力を得ることができる。
【００７１】
また、本発明の構成を採用すると、上記（ｇ）成分のような両親媒性溶剤を併用しても、疎水性溶剤の性質を変化させることなく、逆に（ｇ）成分と疎水性溶剤の両者の洗浄効果を十分発揮できる。
【００７２】
以下に、本発明の特徴部分をまとめると、〔（ａ）＋（ｂ）〕／（ｃ）（質量比）は、２．５以下、好ましくは２以下、更に好ましくは１．７５以下であり、安定性の点から下限は好ましくは０．１以上、より好ましくは０．２以上である。〔（ａ）＋（ｂ）〕／（ｃ）（質量比）は数値が低いほど洗浄力に優れ、高いほど安定性に優れる。また、（ｂ）／（ａ）（質量比）は０．１以上、好ましくは０．１５以上、更に好ましくは０．２以上であり、上限は好ましくは１００以下、更に好ましくは１０以下、特に好ましくは２以下である。（ａ）成分に対して（ｂ）成分を特定比率以上含有することで（ａ）成分の配合濃度を下げて且つ安定化を達成することができる。また（ｃ）成分である疎水性溶剤の油汚れ洗浄力を十分発揮させるために（ａ）成分に対する（ｂ）成分を含有比率は特定比率以下が好ましい。また、十分な安定性のために（ａ）／（ｃ）（質量比）は０．１以上、好ましくは０．５以上、更に好ましくは０．７以上であり、上限は好ましくは２．５以下、更に好ましくは２．０以下、特に好ましくは１．２以下である。また、〔（ａ）＋（ｂ）〕／界面活性剤総量（質量比）は０．７以上、好ましくは０．９以上、更に好ましくは０．９５以上であり、上限は１．０以下、すなわちすべての界面活性剤が（ａ）と（ｂ）成分から構成されるものであってもよい。本発明では、（ａ）及び（ｂ）以外の界面活性剤の併用は、安定性及び洗浄性を低下させる可能性があり制限される。ここで、「界面活性剤総量」には（ａ）成分量も含む。
【００７３】
本発明の組成物は、水を主溶媒とする液体洗浄剤組成物である。本発明の液体洗浄剤組成物は、（ｄ）成分の溶媒中に（ｃ）成分の疎水性溶剤としての性質を損なうことなく、且つ安定に配合するものであり、（ａ）成分が、安定化の為に配合される。しかしながら、（ａ）成分のみで安定化させると洗浄力は不十分であった。本発明では更に（ｂ）成分を併用することで、（ａ）成分を増量した場合でも安定で且つ優れた洗浄力も発揮することができるようになる。なお（ｃ）成分は（ｂ）成分でミセルで可溶化させることができるが、（ｃ）成分の疎水性溶剤の洗浄力が十分発揮できず、また界面活性剤自体の洗浄力も低下する。
【００７４】
本発明の液体洗浄剤組成物中の具体的な各成分濃度は、（ｃ）成分は２〜２５重量％が好ましく、より好ましくは３〜２０重量％、最も好ましくは５〜１５％である。少なすぎると洗浄力が不十分で、多すぎると必要な活性剤（（ａ）及び（ｂ））量も増加し、経済的でない。（ｄ）成分は２０重量％以上が好ましく、より好ましくは５０重量％以上、最も好ましくは６０重量％以上である。少なすぎると経済的でない。９５重量％以上になると薄すぎて十分な洗浄性能が発揮できない。
【００７５】
本発明において（ｅ）成分は洗浄効果及び除菌効果を高める目的から含有させてもよく、組成物中に０．０１〜１質量％、更に０．０５〜２質量％が好適であるが、（ａ）成分及び（ｂ）成分による安定化の観点や（ｃ）成分本来の洗浄効果の観点から、〔（ａ）＋（ｂ）〕／界面活性剤総量（質量比）が０．７以上となるように（ｅ）成分の配合量を考慮する必要がある。
【００７６】
本発明の（ｆ）成分は洗浄効果を高め、且つ安定性を向上させる目的から含有することが好ましく、含有量は、組成物中に好ましくは０．１〜２０質量％、更に好ましくは１〜１５質量％、特に好ましくは２〜１５質量％がよい。
【００７７】
（ｇ）成分、（ｈ）成分は、洗浄効果を向上させる目的から、組成物中に（ｇ）成分を好ましくは０．１〜１０質量％、更に好ましくは０．３〜８質量％、特に好ましくは０．５〜６質量％、（ｈ）成分を好ましくは０．０５〜１０質量％、特に好ましくは０．１〜８質量％含有することが、洗浄効果の点から好適である。
【００７８】
本発明ではハイドロトロープ剤やゲル化防止剤などのその他の成分は、使用目的、安定性、使い勝手などを考慮して種類や配合量等を適宜設定することができる。
【００７９】
本発明の液体洗浄剤組成物は、変性油脂やグリース、油などの疎水性汚れに高い洗浄効果を示すものであり、工業用途あるいは一般家庭用途のいずれにおいても使用することが可能であり、特に一般家庭用の浴室洗浄剤として、浴室の皮脂やシリコーン汚れなどを対象とした洗浄剤、台所洗浄剤として、レンジ廻りや換気扇などの変性汚れなどを対象とした洗浄剤に有効である。
【実施例】
【００８０】
以下の実施例で用いた配合成分を示す。
＜配合成分＞
・ａ−１：２−エチル−１−ヘキサノールにＥＯを平均２モル付加させた化合物
・ａ−２：イソノニルアルコールにＥＯを平均２モル付加させた化合物
・ａ−３：イソデカノールにＥＯを平均２モル付加させた化合物
・ａ−４：２−エチル−１−ヘキサノールにＥＯを平均１モル付加させた化合物
・ａ−５：２−エチル−１−ヘキサノールにＥＯを平均４モル付加させた化合物
・ａ−６：２−エチル−１−ヘキシルモノグリセリルエーテル
・ａ−７：イソデシルモノグリセリルエーテル
・ａ'−１：ｎ−オクタノールにＥＯを平均２モル付加させた化合物
・ａ'−２：ｎ−ドデカノールにＥＯを平均２モル付加させた化合物
・ａ'−３：ｎ−オクチルモノグリセリルエーテル
・ｂ−１：ドデシル硫酸エステルナトリウム
・ｂ−２：ポリオキシエチレン（ＥＯ平均４モル付加物）ドデシルエーテル硫酸エステルナトリウム（ドデシル基は直鎖）
・ｂ−３：ドバノール２３（商標）（三菱化学社製、炭素数１２／１３＝１／１の混合物分岐鎖アルキル含有率が２０質量％）に、ＥＯを平均２モル付加させ、さらに硫酸化させた化合物（ナトリウム塩）
・ｂ−４：デカン酸ナトリウム
・ｂ−５：ラウリン酸ナトリウム
・ｂ−６：パルミチン酸ナトリウム
・ｂ−７：カオーアキポＲＬＭ−４５ＮＶ（商標）（花王（株）製、ポリオキシエチレン（ＥＯ平均４．５モル付加物）ドデシルエーテル硫酸エステルナトリウム（ドデシル基は直鎖））
・ｂ−８：カオーアキポＲＬＭ−１００ＮＶ（商標）（花王（株）製、ポリオキシエチレン（ＥＯ平均１０モル付加物）ドデシルエーテル硫酸エステルナトリウム（ドデシル基は直鎖））
・ｂ−９：α−オレフィンスルホン酸ナトリウム（オレフィンは炭素数１２）
・ｂ−１０：ペレックスＯＴ−Ｐ（商標）（花王（株）製、ジアルキルスルホコハク酸、アルキルはともに２−エチルヘキシル）
・ｂ−１１：アンヒトール２０ＢＳ（商標）（花王（株）製、ｎ−ドデシルジメチルカルボキシメチルベタイン）
・ｂ−１２：アンヒトール２０ＡＢ（商標）（花王（株）製、ｎ−ドデシルアミドプロピルジメチルカルボキシメチルベタイン）
・ｂ−１３：アンヒトール２０Ｎ（商標）（花王（株）製、ｎ−ドデシルジメチルアミンオキサイド）
・ｂ−１４：ソフタゾリンＬＡＯ（商標）（川研ファインケミカル社製、ｎ−ドデシルアミドプロピルジメチルアミンオキサイド）
・ｃ−１：ドデカン（sp=16.2）
・ｃ−２：ＩＰ２０２８（商標）（出光石油化学社製イソパラフィン、sp=14.3）
・ｄ−１：水
・ｅ−１：Ｎ−オクチル−Ｎ，Ｎ−ジメチル−Ｎ−ベンジルアンモニウムクロリド
・ｆ−１：ジエチレングリコールモノブチルエーテル
・ｇ−１：エチレンジアミン四酢酸ナトリウム
・ｇ−２：クエン酸
・ｈ−１：水酸化ナトリウム
・ｈ−２：モノエタノールアミン
【００８１】
実施例１
表１〜４の液体洗浄剤組成物を調製し、下記の評価方法により安定性及び洗浄力を調べた。結果を表１〜４に示す。なお、比較品の一部は、便宜的にａ'−１、ａ'−２およびａ'−３を（ａ）成分として、［（ａ）＋（ｂ）］／（ｃ）、（ｂ）／（ａ）、（ａ）／（ｃ）および［（ａ）＋（ｂ）］／［（ａ）＋（ｂ）＋（ｅ）］を算出した。ただし、比較品１−１３では、［（ａ）＋（ｂ）］／［（ａ）＋（ｂ）＋（ｅ）］は、［（ａ）＋（ｂ）］／［（ａ）＋（ｂ）＋（ｅ）＋（ａ'−２）］（分子の（ａ）にａ'−２を含まないが、分母の（ａ）成分にはａ'−２を含む）により算出した。
【００８２】
＜評価方法＞
（１−１）安定性
○；室温（１０〜３０℃）で１ヶ月以上静置しても相分離や白濁をおこすことなく、安定な透明溶液である。
×：同条件において相分離、白濁、沈殿をおこす。
【００８３】
（１−２）洗浄力（石鹸カス汚れ洗浄力）
３ヶ月間、実際に使用して石鹸カスが固着している洗面器（ポリプロピレン製）を、評価用の液体洗浄剤組成物を含ませたポリウレタン製のスポンジに約５００ｇの荷重をかけて５往復こすった。この操作を２０回行い、２０回の平均値で表示した。
５：汚れ落ちが非常に良好
４：汚れ落ちが良好
３：汚れ落ちにムラがある
２：若干汚れが落ちる程度
１：殆ど汚れが落ちない
【００８４】
（１−３）洗浄力（変性油汚れ洗浄力）
天ぷら油１０ｇを鉄板に均一に塗布し、１８０℃の温度３０分間焼き付けた後、更に室温で３ヶ月間放置することにより殆ど乾いた膜を形成してモデル汚染板とした。液体洗浄剤組成物約０．５ｍＬを水平に固定したモデル汚染板に滴下し、１分間放置した。その後、浮き上がった汚れを脱脂綿で軽く除去した。この操作を計２０回行い、それぞれの洗浄の程度を目視により観察して下記の基準により評価し、２０回の平均値で表示した。
５：完全な汚れ落ち
４：６０％から８０％程度の汚れ落ち
３：５０％から６０％程度の汚れ落ち
２：３０％から５０％程度の汚れ落ち
１：３０％程度までの汚れ落ち
０：まったく汚れが落ちない
【００８５】
【表１】
2007031692.tif 000008
【００８６】
【表２】
2007031692.tif 000009
【００８７】
【表３】
2007031692.tif 000010
【００８８】
【表４】
2007031692.tif 000011
【００８９】
【表５】
2007031692.tif 000012